(57)【要約】【課題】カード枚数が増えた場合であっても容易に整理して財布に収納することを可能とする財布用カード収納装置を提供することである。【解決手段】財布用カード収納装置１０は、長財布４の内部に格納可能であり、矩形のカード６を収納可能な収納部１２が土台シート部８に複数並んで設けられる財布用カード収納装置１０であって、各収納部１２は、カード６を斜め上方から収納可能なように上部及び一方側の側部が開口形成された開口部１６と、カード６の収納時にカード６の下部を挟持する挟持部２０と、収納時にカード６の表面の一部が露出するように上部と一方側の側部にわたって形成された切欠き部１８と、を備える。【選択図】図１
2019181060.tif 000002
【特許請求の範囲】
【請求項１】
長財布の内部に格納可能であり、矩形のカードを収納可能な収納部が土台シート部に複数並んで設けられる財布用カード収納装置であって、
各収納部は、前記カードを斜め上方から収納可能なように上部及び一方側の側部が開口形成された開口部と、
前記カードの収納時に前記カードの下部を挟持する挟持部と、
前記収納時に前記カードの表面の一部が露出するように前記上部と前記一方側の側部にわたって形成された切欠き部と、
を備えることを特徴とする財布用カード収納装置。
【請求項２】
請求項１に記載の財布用カード収納装置において、
前記各収納部は、下部に設けられる前記挟持部に連結用スリットが形成されており、
第１の収納部の前記連結用スリットに隣接する第２の収納部の下端部を係合させ、さらに、第２の収納部の前記連結用スリットに隣接する第３の収納部の下端部を係合させることを繰り返して装着されることを特徴とする財布用カード収納装置。
【請求項３】
請求項２に記載の財布用カード収納装置において、
前記各収納部は、一枚のシートを２つ折りにして形成されており、該折り目が他方側の側部となるように装着されることを特徴とする財布用カード収納装置。
【請求項４】
請求項２に記載の財布用カード収納装置において、
前記土台シート部は、前記収納部を装着するための装着用スリットが形成されており、
前記各収納部は、一枚のシートで構成されており、他方側の側部を前記装着用スリットに係合させることを特徴とする財布用カード収納装置。
【発明の詳細な説明】
【技術分野】
【０００１】
本発明は、財布用カード収納装置に関する。
【背景技術】
【０００２】
近年、クレジットカードやポイントカードなどたくさんの種類のカードが存在する。所有するカードの枚数が少ないうちは整理することなく、財布から収納したり取り出したりして使用することが出来る。
【０００３】
本発明に関連する技術として、例えば、特許文献１には、略矩形状の前面部、背面部及び折り返し部が一体化した素材からなる長財布型の外形を有したカードケース本体と、当該カードケース本体の前面部と背面部の内側の折り曲げ部を底辺とした扇型状に取り付けられた複数の菱形収納体を備え、菱形収納体は、矩形袋状の容器を複数重ね、ひとつの矩形袋状の容器は２ヶ所の収納袋を持ち、隣接する矩形袋状の容器は、長辺のそれぞれの端から四分の一の箇所を接着した複数の矩形袋状の容器を接合することにより形成されるカードケースが開示されている。
【先行技術文献】
【特許文献】
【０００４】
【特許文献１】特開２０１６−２２１２００号公報
【発明の概要】
【発明が解決しようとする課題】
【０００５】
カードの枚数が１枚や２枚など少ないうちはあまり問題とはならないが、枚数が増えるにつれて全てのカードを財布に入れるとうまく整理できずに財布の中身が煩雑な状態となり、必要なカードを取り出すのに時間がかかるといった課題がある。
【０００６】
本発明の目的は、カード枚数が増えた場合であっても容易に整理して財布に収納することを可能とする財布用カード収納装置を提供することである。
【課題を解決するための手段】
【０００７】
本発明に係る財布用カード収納装置は、長財布の内部に格納可能であり、矩形のカードを収納可能な収納部が土台シート部に複数並んで設けられる財布用カード収納装置であって、各収納部は、前記カードを斜め上方から収納可能なように上部及び一方側の側部が開口形成された開口部と、前記カードの収納時に前記カードの下部を挟持する挟持部と、前記収納時に前記カードの表面の一部が露出するように前記上部と前記一方側の側部にわたって形成された切欠き部と、を備えることを特徴とする。
【０００８】
また、本発明に係る財布用カード収納装置において、前記各収納部は、下部に設けられる前記挟持部に連結用スリットが形成されており、第１の収納部の前記連結用スリットに隣接する第２の収納部の下端部を係合させ、さらに、第２の収納部の前記連結用スリットに隣接する第３の収納部の下端部を係合させることを繰り返して装着されることが好ましい。
【０００９】
また、本発明に係る財布用カード収納装置において、前記各収納部は、一枚のシートを２つ折りにして形成されており、該折り目が他方側の側部となるように装着されることが好ましい。
【００１０】
また、本発明に係る財布用カード収納装置において、前記土台シート部は、前記収納部を装着するための装着用スリットが形成されており、前記各収納部は、一枚のシートで構成されており、他方側の側部を前記装着用スリットに係合させることが好ましい。
【発明の効果】
【００１１】
本発明によれば、複数枚のカードを並べて収納することが出来る。これにより、カード枚数が増えた場合であっても容易に整理して財布に収納することができる。
【図面の簡単な説明】
【００１２】
【図１】本発明に係る実施形態において、財布用カード収納装置を示す図である。
【図２】本発明に係る実施形態において、財布用カード収納装置にカードを収納している様子を示す図である。
【図３】本発明に係る実施形態において、財布用カード収納装置の変形例を示す図である。
【発明を実施するための形態】
【００１３】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１４】
図１は、財布用カード収納装置１０を示す図である。図２は、財布用カード収納装置１０にカード６を収納している様子を示す図である。図３は、財布用カード収納装置１０の変形例である財布用カード収納装置１１を示す図である。
【００１５】
財布用カード収納装置１０は、長財布４の内部に格納可能であり、矩形のカード６を収納可能な収納部１２が土台シート部８に複数並んで設けられる。土台シート部８は、透明かつ柔軟性を有する材質、例えば、ポリプロピレンを使って構成することができる。土台シート部８は、例えば、幅１３〜１７ｃｍ、高さ７〜８ｃｍ、厚み０．２ｍｍの大きさを有する矩形形状である。
【００１６】
長財布４は、例えば、幅１９〜２１ｃｍ、高さ９．５〜１１ｃｍ、厚み２．５〜３ｃｍのサイズに設定されている。カード６は、クレジットカード、プリペイドカード、ポイントカード、会員カードなど各種カードを含む。
【００１７】
カード６の大きさは、様々なものが存在するが、一般的に普及しているサイズは、短手方向に５３．９８ｍｍ、長手方向に８５．６０ｍｍで厚みが０．７６ｍｍの大きさに設定されているものとして説明するが、もちろん、適宜変更可能である。
【００１８】
収納部１２は、台形部１２ａと矩形部１２ｂとで構成された略台形形状を有するシート部材である。収納部１２は、透明かつ柔軟性を有する材質、例えば、ポリプロピレンを使って構成することができる。
【００１９】
台形部１２ａは、上底部の長さは約４ｃｍとし、下底部の長さを約１２ｃｍとし、高さを約６ｃｍとし、厚みを約０．２ｍｍとする。矩形部１２ｂは、横方向の長さを約１４ｃｍとし、高さを約２ｃｍとし、厚みを約０．２ｍｍとする。
【００２０】
図１（ａ）（ｂ）に示されるように、略台形形状に形成された収納部１２を折曲線１４で２つに折り曲げる。矩形部１２ｂが折り曲げられて重ね合わせるように形成されており、この矩形部１２ｂの部分に図１（ｂ）に示される連結用スリット２２が形成される。
【００２１】
図１（ｃ）に示されるように、１つ目の収納部１２の連結用スリット２２に隣接する２つ目の収納部１２の挟持部２０の右側端部を係合させ、さらに、この収納部１２の連結用スリット３２に隣接する３つ目の収納部３２（図１（ｃ）では不図示）の挟持部２０の右側端部を係合させることを繰り返す。
【００２２】
このように繰り返されて連結された各収納部１２（図１（ｄ）では８つ）を土台シート部８に装着する。土台シート部８に装着された各収納部１２は、開口部１６と、挟持部２０と、切欠き部１８とを備えている。
【００２３】
開口部１６は、カード６を斜め上方から収納可能なように上部及び一方側の側部が開口形成されてカード６を入れる際に開くことができる。
【００２４】
切欠き部１８は、収納時にカード６の表面の一部が露出するように上部と一方側の側部にわたって形成されている。図１（ｄ）に示されるように、カード６が収納されたときに右上の部分が露出するように斜め方向に切欠きが設けられることで切欠き部１８が形成される。
【００２５】
挟持部２０は、カード６の収納時にカード６の下部を挟持する。切欠き部１８が設けられる開口部６は、カード６を挿入するために開くことが出来るように構成されているが、挟持部２０は、一方側の側部も他方側の側部の両側部が閉じられているため、カード６が挿入された際に挟持するように圧力が加わる。
【００２６】
このように、土台シート部８に複数の収納部１２が一部ずつ重なるように並んで配置されたものに、土台シート部８の対となるシートを土台シート部８の反対側に重ねて、これらのシート部材を下側端部と底側端部の接着領域２９を熱圧着する。なお、ここでは、収納部１２の構成を分かりやすくするために土台シート部８の対となるシートについては省略して描いている。
【００２７】
続いて、上記構成の財布用カード収納装置１０の作用について説明する。一般的に、財布には、小銭やお札を収納する領域とともにカードを収納する領域も少し設けられている場合があるが、複数の会社のクレジットカードや各店舗のポイントカードを作ると、収納領域が足りなくなり、お札を収納する領域などにまとめてカードを入れることになり、出し入れしにくいという課題がある。
【００２８】
しかしながら、財布用カード収納装置１０によれば、複数の収納部１２が一部ずつ重なるように並んで配置されているため、カード６が増えても整理した状態で収納することができる。
【００２９】
また、収納部１２は、上部と右側の側部に開口を有しているため、右斜め上方から収納しやすく、また、カード６が収納されたときに右上の部分が露出するように斜め方向に切欠きが設けられているため、収納したカード６を取り出しやすいという利点もある。
【００３０】
そして、収納部１２は、カード６の一部が露出するとともにカード６を覆っている部分も透明であるため、カード６の種類などを一見して把握することができるという効果もある。
【００３１】
また、図２（ａ）に示されるように、ユーザーが財布用カード収納装置１０を手で持ちながらカード６を収納した後に図２（ｂ）のような状態した場合であってもカード６の下部が挟持部２０によってしっかりと挟み込まれているため、カード６が落ちない。
【００３２】
上述したようにカード６を挿入した後の財布用カード収納装置１０を長財布４に収納することができる。また、カード６を取り出す場合も長財布４から財布用カード収納装置１０を取り出した後に必要なカード６のみを効率よく取り出すことができるという顕著な効果を奏する。
【００３３】
次に、財布用カード収納装置１０の変形例である財布用カード収納装置１１について説明する。財布用カード収納装置１１と財布用カード収納装置１０との相違点は、収納部３２と土台シート部９の装着用スリット７であるため、その相違点を中心に説明する。
【００３４】
収納部３２は、台形部３２ａと矩形部３２ｂとを備えて構成される。上記のように、収納部１２は、台形部１２ａと矩形部１２ｂとで構成された略台形形状を折り畳んで二枚のシートが重ねた状態で形成されるが、収納部３２は、半分のみの一枚のシートで構成されている。
【００３５】
収納部３２は、開口部３６と切欠き部３８と挟持部４０と連結用スリット４２を備える点は収納部１２とほぼ同一であるが、他方側の端部に装着用スリット３５が形成されている点が収納部１２と異なる。
【００３６】
複数の収納部３２同士の連結については、財布用カード収納装置１０と同様に、１つ目の収納部３２の連結用スリット４２に隣接する２つ目の収納部３２の挟持部４０の右側端部を係合させ、さらに、この収納部３２の連結用スリット４２に隣接する３つ目の収納部３２の挟持部４０の右側端部を係合させることを繰り返す。
【００３７】
このように連結された複数の収納部３２を土台シート部９に装着するが、この際に各収納部３２の装着用スリット３５により形成された凸部を土台シート部９の装着用スリット７に挿入して装着する。
【００３８】
そして、土台シート部９に複数の収納部３２が一部ずつ重なるように並んで配置されたものに、土台シート部９の対となるシートを土台シート部９の反対側に重ねて、これらのシート部材を下側端部と底側端部の接着領域２９を熱圧着する。なお、ここでは、収納部３２の構成を分かりやすくするために土台シート部９の対となるシートについては省略して描いている。
【００３９】
続いて、上記財布用カード収納装置１１の作用について説明する。財布用カード収納装置１１は、財布用カード収納装置１０とほぼ同様の構成を有し、収納部３２は、開口部３６と切欠き部３８と挟持部４０とを有するため、財布用カード収納装置１０と同様の効果を奏する。
【００４０】
なお、財布用カード収納装置１１の収納部３２は、財布用カード収納装置１０の収納部１２とは異なり２枚重ねではなく、１枚で構成されているため、全体的な厚みを薄くすることが出来き、土台シート部９の熱圧着なども容易に行うことができる。
【００４１】
一方で、財布用カード収納装置１０の収納部１２とは異なり２枚重ねることでポケットのような形が出来、図２（ａ）に示されるような膨らみが形成されるため、カード６を入れやすいという利点がある。
【００４２】
また、財布用カード収納装置１０，１１は収納部１２，３２の右上に開口が形成された開口部１６，３６を有するものとして説明したが、これらはユーザーが右利きであることを想定して形成された構造であり、各収納部１２，３２が反対方向を向くように装着することによって、左利きに適した構造にすることも可能である。
【符号の説明】
【００４３】
４  長財布、６  カード、７  装着用スリット、８，９  土台シート部、１０，１１  財布用カード収納装置、１２  収納部、１２ａ  台形部、１２ｂ  矩形部、１４  折曲線、１６  開口部、１８  切欠き部、２０  挟持部、２２  連結用スリット、２９  接着領域、３２  収納部、３５  装着用スリット、３６  開口部、３６ａ  台形部、３６ｂ  矩形部、３８  切欠き部、４０  挟持部、４２  連結用スリット。
【図１】
2019181060.tif 000003
【図２】
2019181060.tif 000004
【図３】
2019181060.tif 000005